(57)【要約】【課題】画質を高めることができる画像形成システムを得る。【解決手段】本発明の画像形成システムは、第１の設定データに応じた画像形成条件で、記録媒体に所定の画像を形成する画像形成部と、第１の解像度で記録媒体から所定の画像を読み取ることにより第１の読取画像データを生成する第１の読取動作、および第２の解像度で前記記録媒体から前記所定の画像を読み取ることにより第２の読取画像データを生成する第２の読取動作を行うことが可能な画像読取部と、画像読取部に第１の読取動作を行わせ、第１の読取画像データに基づいて第１の解析を行い、その解析結果に応じて画像読取部に第２の読取動作を行わせるかどうかを判断し、その判断結果に基づいて画像読取部に第２の読取動作を行わせ、第２の読取画像データに基づいて第２の解析を行い、第２の設定データを生成する処理部とを備える。【選択図】図１５
2019109370.tif 000002
【特許請求の範囲】
【請求項１】
第１の設定データに応じた画像形成条件で、記録媒体に所定の画像を形成する画像形成部と、
第１の解像度で前記記録媒体から前記所定の画像を読み取ることにより第１の読取画像データを生成する第１の読取動作、および第２の解像度で前記記録媒体から前記所定の画像を読み取ることにより第２の読取画像データを生成する第２の読取動作を行うことが可能な画像読取部と、
前記画像読取部に前記第１の読取動作を行わせ、前記第１の読取画像データに基づいて第１の解析を行い、その解析結果に応じて前記画像読取部に前記第２の読取動作を行わせるかどうかを判断し、その判断結果に基づいて前記画像読取部に前記第２の読取動作を行わせ、前記第２の読取画像データに基づいて第２の解析を行い、第２の設定データを生成する処理部と
を備えた画像形成システム。
【請求項２】
前記処理部は、前記画像読取部に前記第２の読取動作を行わせない場合には、前記第１の読取画像データに基づいて前記第２の設定データを生成する
請求項１に記載の画像形成システム。
【請求項３】
前記第１の解像度は、前記第２の解像度よりも高い
請求項１または請求項２に記載の画像形成システム。
【請求項４】
前記画像形成部は、
現像剤像を担持する像担持体と、
前記像担持体と対向配置され、前記現像剤像を前記像担持体から前記記録媒体に転写する転写部材と
を有し、
前記第１の設定データおよび前記第２の設定データは、前記転写部材に印加する電圧の設定値についての情報を含む
請求項１から請求項３のいずれか一項に記載の画像形成システム。
【請求項５】
前記画像形成部は、ヒータを含み、前記記録媒体に現像剤像を定着させる定着部を有し、
前記第１の設定データおよび前記第２の設定データは、前記定着部における温度の設定値についての情報を含む
請求項１から請求項４のいずれか一項に記載の画像形成システム。
【請求項６】
前記画像形成部は、現像剤を用いて前記所定の画像を形成し、
前記所定の画像は、前記現像剤が一様に塗布されるべき部分画像を含む
請求項１から請求項５のいずれか一項に記載の画像形成システム。
【請求項７】
前記部分画像は、黒色の現像剤が一様な黒色の部分画像である
請求項６に記載の画像形成システム。
【請求項８】
前記処理部は、前記第１の読取画像データにおける前記部分画像に対応する画像データに基づいて前記第１の解析を行うとともに、前記第２の読取画像データにおける前記部分画像に対応する画像データに基づいて前記第２の解析を行う
請求項６または請求項７に記載の画像形成システム。
【請求項９】
前記処理部は、前記第１の読取画像データに基づいて、第１の方向に隣り合う２つの画素での画素値についての第１の統計結果、および第２の方向に隣り合う２つの画素での画素値についての第２の統計結果に基づいて、前記第１の解析を行う
請求項８に記載の画像形成システム。
【請求項１０】
前記画像形成部を有する画像形成装置と
前記処理部を有するサーバ装置と
を備えた
請求項１から請求項９のいずれか一項に記載の画像形成システム。
【請求項１１】
前記画像形成部および前記処理部を有する画像形成装置を備えた
請求項１から請求項９のいずれか一項に記載の画像形成システム。
【請求項１２】
前記画像形成装置は、前記画像読取部をさらに有する
請求項１０または請求項１１に記載の画像形成システム。
【請求項１３】
画像形成部が、第１の設定データに応じた画像形成条件で、記録媒体に所定の画像を形成することと、
画像読取部が、第１の解像度で前記記録媒体から前記所定の画像を読み取ることにより第１の読取画像データを生成する第１の読取動作を行うことと、
処理部が、前記第１の読取画像データに基づいて第１の解析を行うことと、
前記処理部が、前記第１の解析の解析結果に応じて、前記画像読取部が第２の解像度で前記記録媒体から前記所定の画像を読み取ることにより第２の読取画像データを生成する第２の読取動作を行うかどうかを判断することと、
その判断結果に基づいて、前記画像読取部が前記第２の読取動作を行うことと、
前記処理部が、前記第２の読取画像データに基づいて第２の解析を行うことと、
前記処理部が、第２の設定データを生成することと
を含む画像形成条件の設定方法。
【発明の詳細な説明】
【技術分野】
【０００１】
本発明は、画像を形成する画像形成システム、およびそのような画像形成システムに用いられる画像形成条件の設定方法に関する。
【背景技術】
【０００２】
画像形成装置には、形成した現像剤像に基づいて、画質を調整するものがある。例えば、特許文献１には、中間転写ベルトに形成した画像に基づいて、階調を補正する画像形成装置が開示されている。
【先行技術文献】
【特許文献】
【０００３】
【特許文献１】特開２０１３−１２０２７７号公報
【発明の概要】
【発明が解決しようとする課題】
【０００４】
画像形成装置では、画質が高いことが望まれており、さらなる画質の向上が期待されている。
【０００５】
画質を高めることができる画像形成システムおよび画像形成条件の設定方法を提供することが望ましい。
【課題を解決するための手段】
【０００６】
本発明の一実施の形態における画像形成システムは、画像形成部と、画像読取部と、処理部とを備えている。画像形成部は、第１の設定データに応じた画像形成条件で、記録媒体に所定の画像を形成するものである。画像読取部は、第１の解像度で記録媒体から所定の画像を読み取ることにより第１の読取画像データを生成する第１の読取動作、および第２の解像度で記録媒体から所定の画像を読み取ることにより第２の読取画像データを生成する第２の読取動作を行うことが可能なものである。処理部は、画像読取部に第１の読取動作を行わせ、第１の読取画像データに基づいて第１の解析を行い、その解析結果に応じて画像読取部に第２の読取動作を行わせるかどうかを判断し、その判断結果に基づいて画像読取部に第２の読取動作を行わせ、第２の読取画像データに基づいて第２の解析を行い、第２の設定データを生成するものである。
【０００７】
本発明の一実施の形態における画像形成条件の設定方法は、画像形成部が、第１の設定データに応じた画像形成条件で、記録媒体に所定の画像を形成することと、画像読取部が、第１の解像度で記録媒体から所定の画像を読み取ることにより第１の読取画像データを生成する第１の読取動作を行うことと、処理部が、第１の読取画像データに基づいて第１の解析を行うことと、処理部が、第１の解析の解析結果に応じて、画像読取部が第２の解像度で記録媒体から所定の画像を読み取ることにより第２の読取画像データを生成する第２の読取動作を行うかどうかを判断することと、その判断結果に基づいて画像読取部が第２の読取動作を行うことと、処理部が、第２の読取画像データに基づいて第２の解析を行うことと、処理部が、第２の設定データを生成することとを含む。
【発明の効果】
【０００８】
本発明の一実施の形態における画像形成システムおよび画像形成条件の設定方法によれば、第１の解析の解析結果に応じて画像読取部に第２の読取動作を行わせるかどうかを判断し、その判断結果に基づいて画像読取部に第２の読取動作を行わせ、第２の読取画像データに基づいて第２の解析を行うようにしたので、画質を高めることができる。
【図面の簡単な説明】
【０００９】
【図１】一実施の形態に係る画像形成システムの一構成例を表すブロック図である。
【図２】プロセス設定データの一例を表す表である。
【図３】図１に示した画像形成装置の記憶部に記憶された複数のプロセス設定データの一例を表す表である。
【図４】図１に示した画像形成部の一構成例を表す構成図である。
【図５】図４に示した現像ユニットの一構成例を表す構成図である。
【図６】診断チャートの一構成例を表す説明図である。
【図７】図１に示した画像診断部の一構成例を表すブロック図である。
【図８Ａ】画像の不具合のパターンの一例を表す説明図である。
【図８Ｂ】画像の不具合のパターンの他の例を表す説明図である。
【図８Ｃ】画像の不具合のパターンの他の例を表す説明図である。
【図８Ｄ】画像の不具合のパターンの他の例を表す説明図である。
【図９】画像の不具合のパターンとプロセス設定との関係を表す表である。
【図１０】図１に示した画像形成システムの一動作例を表すフローチャートである。
【図１１】プリンタドライバの設定画面の一例を表す説明図である。
【図１２】図１に示した画像形成システムの他の動作例を表すフローチャートである。
【図１３】ＷＥＢブラウザソフトウェアを用いて表示される画面の一例を表す説明図である。
【図１４】図１に示した画像形成システムの他の動作例を表すフローチャートである。
【図１５】図１に示した画像形成システムの他の動作例を表すフローチャートである。
【図１６】変形例に係る画像形成システムの一構成例を表すブロック図である。
【図１７】他の変形例に係る画像形成システムの一構成例を表すブロック図である。
【発明を実施するための形態】
【００１０】
以下、本発明の実施の形態について、図面を参照して詳細に説明する。
【００１１】
＜実施の形態＞
［構成例］
図１は、本発明の一実施の形態に係る画像形成システム（画像形成システム１）の一構成例を表すものである。なお、本発明の実施の形態に係る画像形成条件の設定方法は、本実施の形態により具現化されるので、併せて説明する。
【００１２】
画像形成システム１は、パーソナルコンピュータ１０と、スキャナ１１と、画像形成装置２０と、サーバ４０とを備えている。画像形成システム１は、例えば厚紙やクリアファイルなどのプラスチック媒体などの特殊な記録媒体９Ｂに画像を形成する際に、記録媒体９Ｂに実際に形成された画像に基づいて、画像形成装置２０における画像形成条件を設定するものである。具体的には、画像形成システム１では、まず、画像形成装置２０が、サーバ４０から供給された印刷データＤＰに基づいて、特殊な記録媒体９Ｂに所定の画像（診断チャートＤＣ）を形成する。次に、スキャナ１１がユーザの操作に基づいてその記録媒体９Ｂから診断チャートＤＣを読み取ることにより画像データ（読取画像データＤＲ）を生成し、パーソナルコンピュータ１０が、その読取画像データＤＲをサーバ４０に供給する。サーバ４０は、読取画像データＤＲに基づいて画像診断を行うことにより、記録媒体９Ｂに形成された画像の不具合を解析する。そして、サーバ４０は、その診断結果に基づいて、画像の不具合を改善するための画像形成条件を示すプロセス設定データＤＳを生成する。
【００１３】
図２は、プロセス設定データＤＳの一例を表すものである。プロセス設定データＤＳには、そのプロセス設定データＤＳを識別するためのプロセス設定識別子ＩＤ（この例では“ＭＥＤＩＡ＿Ａ”）が設定されている。また、プロセス設定データＤＳは、画像形成装置２０の定着部７５（後述）における定着温度、画像形成装置２０の転写ローラ９２（後述）に印加される転写電圧、単位時間あたりに画像形成を行うことができるページ数を示す印刷速度、後述する最大層厚などの様々なプロセス設定を含んでいる。なお、プロセス設定データＤＳは、定着温度、転写電圧、印刷速度、および最大層厚に限定されるものではなく、その他の様々なパラメータを含んでいてもよい。
【００１４】
そして、サーバ４０は、このようなプロセス設定データＤＳを画像形成装置２０に供給する。画像形成装置２０は、このプロセス設定データＤＳを登録する。画像形成装置２０は、これ以降において、このプロセス設定データＤＳに基づいて画像形成条件を設定することにより、記録媒体９Ｂに画像を形成することができる。これにより、画像形成システム１では、記録媒体９Ｂにおける画質を高めることができるようになっている。
【００１５】
（パーソナルコンピュータ１０）
パーソナルコンピュータ１０は、例えば、ユーザが操作することにより文書などを作成するものである。パーソナルコンピュータ１０には、オペレーティングシステム、ワードプロセッサソフトウェアやＷＥＢ（World Wide Web）ブラウザソフトウェアなどの各種アプリケーションソフトウェア、プリンタドライバなどがインストールされている。パーソナルコンピュータ１０は、ネットワークＮＥＴに接続されている。このネットワークＮＥＴは、この例では有線のＬＡＮ（Local Area Network）であり、図示しないルータを介してインターネットＩＮＥＴに接続されている。なお、これに限定されるものではなく、これに代えて、例えば無線のＬＡＮであってもよい。
【００１６】
パーソナルコンピュータ１０は、例えば、ユーザがワードプロセッサソフトウェアを操作することにより、文書データを作成する。そして、パーソナルコンピュータ１０は、プリンタドライバを用いて、この文書データに基づいて印刷データＤＰを生成する。印刷データＤＰは、印刷すべき画像を示す画像データＤＴと、使用すべきプロセス設定データＤＳを指示するプロセス設定識別子ＩＤとを含んでいる。印刷データＤＰは、画像形成装置２０が解釈可能なＰＪＬ（Printer Job Language）を用いて記述されたものである。具体的には、印刷データＤＰは、ＰＳ（PostScript（登録商標））やＰＣＬ（Printer Control Language）などのＰＤＬ（Printer Description Language）を用いて記述されている。そして、パーソナルコンピュータ１０は、この印刷データＤＰを、ネットワークＮＥＴを介して画像形成装置２０に供給するようになっている。
【００１７】
また、パーソナルコンピュータ１０は、後述するように、ユーザがＷＥＢブラウザソフトウェアを操作することにより、ネットワークＮＥＴおよびインターネットＩＮＥＴを介して、サーバ４０にアクセスする機能をも有している。これにより、パーソナルコンピュータ１０は、サーバ４０に対して、診断チャートＤＣを示す画像データＤＴを含む印刷データＤＰを画像形成装置２０に供給するように指示するとともに、パーソナルコンピュータ１０から供給された読取画像データＤＲに基づいて画像診断を行い、その診断結果に基づいて生成されたプロセス設定データＤＳを画像形成装置２０に供給するように指示するようになっている
【００１８】
（スキャナ１１）
スキャナ１１は、光走査を行うことにより、記録媒体９に印刷された画像を読み取るものである。スキャナ１１は、例えば、光走査を行う読取ヘッドの移動速度および読取タイミングを変更することにより、複数の解像度で画像を読み取ることができるようになっている。この例では、スキャナ１１は、診断チャートＤＣが印刷された記録媒体９Ｂから、この診断チャートＤＣを読み取ることにより、読取画像データＤＲを生成する。具体的には、スキャナ１１は、高い解像度で診断チャートＤＣを読み取ることにより、高解像度の読取画像データＤＲＨを生成し、低い解像度で診断チャートＤＣを読み取ることにより、低解像度の読取画像データＤＲＬを生成する。読取画像データＤＲＨの解像度は、後述する画像の不具合（後述するパターンＰＡＴ１〜ＰＡＴ４）を目視で判別できる程度の解像度であり、この例では３００［ｄｐｉ］である。読取画像データＤＲＬの解像度は、後述する画像の不具合のうちのかすれ（後述するパターンＰＡＴ３，ＰＡＴ４におけるかすれたちり状のパターン）を目視で判別できない程度の解像度であり、この例では１２０［ｄｐｉ］である。この例では、読取画像データＤＲにおける各画素の画素値は、２５６階調の値である。スキャナ１１は、パーソナルコンピュータ１０に接続されている。スキャナ１１は、生成した読取画像データＤＲをパーソナルコンピュータ１０に供給する。そして、パーソナルコンピュータ１０は、この読取画像データＤＲをサーバ４０に供給するようになっている。
【００１９】
（画像形成装置２０）
画像形成装置２０は、この例では、４色（黄色、マゼンタ色、シアン色、および黒色）のトナーを用いて、記録媒体９に画像を形成するものである。画像形成装置２０は、普通紙、ＯＨＰフィルム、光沢紙などの一般的に使用される記録媒体９Ａに加え、厚紙やクリアファイルなどのプラスチック媒体などの特殊な記録媒体９Ｂにも画像を形成することができるようになっている。画像形成装置２０は、通信部２１と、処理部３０と、記憶部２２と、画像形成部２３とを有している。
【００２０】
通信部２１は、ネットワークＮＥＴを介して通信を行うものであり、この例では、パーソナルコンピュータ１０やサーバ４０から送信された印刷データＤＰ、およびサーバ４０から供給されたプロセス設定データＤＳを受信するものである。プロセス設定データＤＳは、印刷データＤＰと同様に、ＰＪＬを用いて記述されている。
【００２１】
処理部３０は、様々な処理を行うものであり、例えば、ＣＰＵ（Central Processing Unit）、ＲＡＭ（Random Access Memory）などを用いて構成されている。処理部３０は、データ解析部３１と、画像処理部３２と、プロセス設定部３３とを有している。
【００２２】
データ解析部３１は、通信部２１が受信したデータを解析するものである。そして、データ解析部３１は、受信したデータが印刷データＤＰである場合には、その印刷データＤＰを画像処理部３２に供給し、受信したデータがプロセス設定データＤＳである場合には、そのプロセス設定データＤＳをプロセス設定部３３に供給するようになっている。
【００２３】
画像処理部３２は、データ解析部３１から供給された印刷データＤＰに基づいてページデータＤＰ２を生成し、このページデータＤＰ２を画像形成部２３に供給するものである。具体的には、画像処理部３２は、まず、印刷データＤＰを解析し、印刷データＤＰに含まれるプロセス設定識別子ＩＤをプロセス設定部３３に供給する。また、画像処理部３２は、印刷データＤＰに含まれる画像データＤＴに基づいて、描画処理Ｐ１、色変換処理Ｐ２、層厚制御処理Ｐ３、階調補正処理Ｐ４、およびハーフトーン処理Ｐ５をこの順に行う。例えば、描画処理Ｐ１は、画像データＤＴに基づいて、ラスタライズされたページデータＤＰ１を生成するものである。また、例えば、層厚制御処理Ｐ３は、色変換処理Ｐ２の結果、記録媒体９における４色のトナーによるトナー層の厚さが所定の厚さ（最大層厚）を超えると見込まれる場合に、黄色、マゼンタ色、およびシアン色のトナー量を減らすとともに、黒色のトナー量を増やすことにより、トナー層の厚さを薄くするように制御するものである。すなわち、トナー層が厚くなりすぎると、例えばトナー像を記録媒体９に転写しにくくなるおそれがあるので、画像処理部３２は、トナー層の厚さが所定の最大層厚以下になるように、層厚制御処理Ｐ３を行う。この最大層厚は、プロセス設定データＤＳに含まれる最大層厚についての情報に基づいて制御される。そして、画像処理部３２は、ハーフトーン処理Ｐ５によりページデータＤＰ２を生成し、このページデータＤＰ２を画像形成部２３に供給するようになっている。
【００２４】
プロセス設定部３３は、データ解析部３１から供給されたプロセス設定データＤＳを記憶部２２に登録するものである。また、プロセス設定部３３は、画像処理部３２から供給されたプロセス設定識別子ＩＤに基づいて、記憶部２２から、そのプロセス設定識別子ＩＤに対応するプロセス設定データＤＳを読み出す機能をも有している。そして、プロセス設定部３３は、読み出したプロセス設定データＤＳに含まれる最大層厚についての情報を画像処理部３２に供給するとともに、プロセス設定データＤＳを画像形成部２３内のコントローラ（図示せず）に供給するようになっている。
【００２５】
記憶部２２は、複数のプロセス設定データＤＳを記憶するものであり、例えば、不揮発性メモリなどを用いて構成される。
【００２６】
図３は、記憶部２２に記憶された複数のプロセス設定データＤＳの一例を表すものである。この例では、記憶部２２は、５つのプロセス設定データＤＳ（プロセス設定データＤＳ１〜ＤＳ５）を記憶している。
【００２７】
プロセス設定データＤＳ１は、プロセス設定識別子ＩＤが“ＰＰ＿ＰＬＡＩＮ”に設定されたプロセス設定データＤＳであり、普通紙に画像を形成する際に良好な画質を得るためのプロセス設定を含んでいる。プロセス設定データＤＳ２は、プロセス設定識別子ＩＤが“Ｐ＿ＯＨＰ”に設定されたプロセス設定データＤＳであり、ＯＨＰフィルムに画像を形成する際に良好な画質を得るためのプロセス設定を含んでいる。プロセス設定データＤＳ３は、プロセス設定識別子ＩＤが“Ｐ＿ＧＬＯＳＳＹ”に設定されたプロセス設定データＤＳであり、光沢紙に画像を形成する際に良好な画質を得るためのプロセス設定を含んでいる。これらのプロセス設定データＤＳ１〜ＤＳ３は、画像形成装置２０にプリセットされたものであり、記憶部２２に書き換えできないように記憶されている。
【００２８】
プロセス設定データＤＳ４は、プロセス設定識別子ＩＤが“ＭＥＤＩＡ＿Ａ”に設定されたプロセス設定データＤＳであり、ある特殊な記録媒体に画像を形成する際に良好な画質を得るためのプロセス設定を含んでいる。プロセス設定データＤＳ５は、プロセス設定識別子ＩＤが“ＭＥＤＩＡ＿Ｂ”に設定されたプロセス設定データＤＳであり、他のある特殊な記録媒体に画像を形成する際に良好な画質を得るためのプロセス設定を含んでいる。これらのプロセス設定データＤＳ４，ＤＳ５は、この例ではサーバ４０から供給されたものであり、記憶部２２に書き換え可能に記憶されている。
【００２９】
画像形成部２３は、画像処理部３２から供給されたページデータＤＰ２、およびプロセス設定部３３から供給されたプロセス設定データＤＳに基づいて、記録媒体９に画像を形成するものである。以下に、この画像形成部２３の構成について、詳細に説明する。
【００３０】
図４は、画像形成装置２０における画像形成部２３の一構成例を表すものである。画像形成部２３は、ホッピングローラ７２と、レジストローラ７３と、４つの現像ユニット８０（現像ユニット８０Ｋ，８０Ｙ，８０Ｍ，８０Ｃ）と、４つのトナー収容部８８（トナー収容部８８Ｋ，８８Ｙ，８８Ｍ，８８Ｃ）と、４つのＬＥＤ（Light Emitting Diode）ヘッド８９（ＬＥＤヘッド８９Ｋ，８９Ｙ，８９Ｍ，８９Ｃ）と、転写部９０と、定着部７５と、排出ローラ７８とを備えている。これらの部材は、記録媒体９を搬送する搬送路７０に沿って配置されている。
【００３１】
ホッピングローラ７２は、媒体収納部７１に収納されている記録媒体９をその最上部から１枚ずつ取り出し、取り出した記録媒体９を搬送路７０に送り出す部材である。レジストローラ７３は、搬送路７０を挟む１対のローラにより構成される部材であり、ホッピングローラ７２から供給された記録媒体９の斜行を矯正するとともに、搬送路７０に沿って記録媒体９を搬送するものである。
【００３２】
４つの現像ユニット８０は、トナー像を形成するものである。具体的には、現像ユニット８０Ｋは、黒色（Ｋ）のトナー像を形成するものであり、現像ユニット８０Ｙは、黄色（Ｙ）のトナー像を形成するものであり、現像ユニット８０Ｍは、マゼンタ色（Ｍ）のトナー像を形成するものであり、現像ユニット８０Ｃは、シアン色（Ｃ）のトナー像を形成するものである。この例では、４つの現像ユニット８０は、記録媒体９の搬送方向Ｆにおいて、現像ユニット８０Ｋ，８０Ｙ，８０Ｍ，８０Ｃの順に配置されている。各現像ユニット８０は、着脱可能に構成されている。
【００３３】
４つのトナー収容部８８は、トナーを収容するものである。具体的には、トナー収容部８８Ｋは黒色のトナーを収容し、トナー収容部８８Ｙは黄色のトナーを収容し、トナー収容部８８Ｍはマゼンタ色のトナーを収容し、トナー収容部８８Ｃはシアン色のトナーを収容するようになっている。４つのトナー収容部８８は、対応する４つの現像ユニット８０に対してそれぞれ着脱可能に構成されている。
【００３４】
図５は、現像ユニット８０の一構成例を表すものである。なお、この図５は、トナー収容部８８をも描いている。現像ユニット８０は、感光ドラム８１と、クリーニングブレード８２と、帯電ローラ８４と、現像ローラ８５と、規制ブレード８６と、供給ローラ８７とを有している。
【００３５】
感光ドラム８１は、表面（表層部分）に静電潜像を担持する部材である。感光ドラム８１は、ドラムモータ（図示せず）から伝達された動力により、この例では時計回りで回転する。感光ドラム８１は、帯電ローラ８４により帯電し、ＬＥＤヘッド８９により露光される。具体的には、現像ユニット８０Ｋの感光ドラム８１はＬＥＤヘッド８９Ｋにより露光され、現像ユニット８０Ｙの感光ドラム８１はＬＥＤヘッド８９Ｙにより露光され、現像ユニット８０Ｍの感光ドラム８１はＬＥＤヘッド８９Ｍにより露光され、現像ユニット８０Ｃの感光ドラム８１はＬＥＤヘッド８９Ｃにより露光される。これにより、各感光ドラム８１の表面には、静電潜像が形成される。そして、感光ドラム８１に、現像ローラ８５によりトナーが供給されることにより、感光ドラム８１には、静電潜像に応じたトナー像が形成されるようになっている。
【００３６】
クリーニングブレード８２は、感光ドラム８１の表面（表層部分）に残留するトナーを掻き取ってクリーニングする部材である。クリーニングブレード８２は、例えばゴムを用いて構成され、先端が感光ドラム８１に当接するように配置されている。クリーニングブレード８２は、例えば、感光ドラム８１の表面において転写されずに残留したトナーを掻き取る。そして、掻き取られたトナーは、トナーボックス８３に収容されるようになっている。
【００３７】
帯電ローラ８４は、感光ドラム８１の表面（表層部分）を略均一に帯電させる部材である。帯電ローラ８４は、感光ドラム８１の表面（周面）に接するように配置されており、所定の押し付け量で感光ドラム８１に押し付けられるように配置されている。帯電ローラ８４は、感光ドラム８１の回転に応じて、この例では反時計回りで回転する。帯電ローラ８４には、電圧制御部（図示せず）により帯電電圧が印加されるようになっている。
【００３８】
現像ローラ８５は、トナーを表面に担持する部材である。現像ローラ８５は、感光ドラム８１の表面（周面）に接するように配置されており、所定の押し付け量で感光ドラム８１に押し付けられるように配置されている。現像ローラ８５は、ドラムモータ（図示せず）から伝達された動力により、この例では反時計回りで回転する。現像ローラ８５には、電圧制御部（図示せず）により現像電圧が印加されるようになっている。
【００３９】
規制ブレード８６は、現像ローラ８５の表面に当接することにより、この現像ローラ８５の表面にトナーからなる層（トナー層）を形成させるとともに、そのトナー層の厚さを規制（制御，調整）する部材である。規制ブレード８６は、例えば、ステンレスなどからなる板状弾性部材をＬ字形状に折り曲げたものを用いることができる。規制ブレード８６は、その折れ曲がった部分が現像ローラ８５の表面に当接するように配置されるとともに、所定の押し付け量で現像ローラ８５に押し付けられるように配置されている。
【００４０】
供給ローラ８７は、トナー収容部８８内に収容されたトナーを、現像ローラ８５に対して供給する部材である。供給ローラ８７は、現像ローラ８５の表面（周面）に接するように配置されており、所定の押し付け量で現像ローラ８５に押し付けられるように配置されている。供給ローラ８７は、ドラムモータ（図示せず）から伝達された動力により、この例では反時計回りで回転する。これにより、各現像ユニット８０では、供給ローラ８７の表面と現像ローラ８５の表面との間に摩擦が生じる。その結果、各現像ユニット８０では、トナーが、いわゆる摩擦帯電により帯電するようになっている。供給ローラ８７には、電圧制御部（図示せず）により供給電圧が印加されるようになっている。
【００４１】
４つのＬＥＤヘッド８９（図４）は、対応する現像ユニット８０の感光ドラム８１に対して光を照射する部材である。具体的には、ＬＥＤヘッド８９Ｋは、現像ユニット８０Ｋの感光ドラム８１に対して光を照射し、ＬＥＤヘッド８９Ｙは、現像ユニット８０Ｙの感光ドラム８１に対して光を照射し、ＬＥＤヘッド８９Ｍは、現像ユニット８０Ｍの感光ドラム８１に対して光を照射し、ＬＥＤヘッド８９Ｃは、現像ユニット８０Ｃの感光ドラム８１に対して光を照射する。ＬＥＤヘッド８９は、例えば、主走査線方向（図４における奥行方向）に並設された複数の発光ダイオードを有し、これらの発光ダイオードを用いて、ドット単位で感光ドラム８１に対して光を照射する。これにより、これらの感光ドラム８１は、対応するＬＥＤヘッド８９により露光され、感光ドラム８１の表面に、静電潜像が形成されるようになっている。
【００４２】
転写部９０は、４つの現像ユニット８０により形成されたトナー像を、記録媒体９の被転写面上に転写するものである。転写部９０は、転写ベルト９１と、４つの転写ローラ９２（９２Ｋ，９２Ｙ，９２Ｍ，９２Ｃ）と、駆動ローラ９３と、従動ローラ９４とを有している。
【００４３】
転写ベルト９１は、搬送路７０に沿って記録媒体９を搬送方向Ｆに向かって搬送するものである。転写ベルト９１は、駆動ローラ９３および従動ローラ９４によって張設（張架）され、駆動ローラ９３の回転に応じて、搬送方向Ｆの方向に循環搬送されるようになっている。
【００４４】
４つの転写ローラ９２は、対応する現像ユニット８０の感光ドラム８１の表面に形成されたトナー像を、記録媒体９に転写する部材である。転写ローラ９２Ｋは、搬送路７０および転写ベルト９１を挟んで現像ユニット８０Ｋの感光ドラム８１に対向配置されており、転写ローラ９２Ｙは、搬送路７０および転写ベルト９１を挟んで現像ユニット８０Ｙの感光ドラム８１に対向配置されており、転写ローラ９２Ｍは、搬送路７０および転写ベルト９１を挟んで現像ユニット８０Ｍの感光ドラム８１に対向配置されており、転写ローラ９２Ｃは、搬送路７０および転写ベルト９１を挟んで現像ユニット８０Ｃの感光ドラム８１に対向配置されている。転写ローラ９２Ｋ，９２Ｙ，９２Ｍ，９２Ｃのそれぞれには、電圧制御部（図示せず）により転写電圧が印加される。この転写電圧は、プロセス設定データＤＳに含まれる転写電圧についての情報に基づいて制御される。これにより、画像形成装置２０では、各現像ユニット８０により形成されたトナー像が、記録媒体９の被転写面上に転写されるようになっている。
【００４５】
駆動ローラ９３は、転写ベルト９１を循環搬送するものである。この例では、駆動ローラ９３は、搬送方向Ｆにおいて、４つの現像ユニット８０の下流に配置されている。駆動ローラ９３は、ベルトモータ（図示せず）から伝達された動力により、この例では反時計回りで回転する。従動ローラ９４は、転写ベルト９１の循環搬送に応じて、従動回転するものである。この例では、従動ローラ９４は、搬送方向Ｆにおいて、４つの現像ユニット８０の上流に配置されている。
【００４６】
定着部７５は、記録媒体９に対し熱および圧力を付与することにより、記録媒体９上に転写されたトナー像を記録媒体９に定着させる部材である。定着部７５は、ヒートローラ７６と、加圧ローラ７７とを有している。ヒートローラ７６は、記録媒体９上のトナーに対して熱を付与する部材であり、内部に例えばハロゲンヒータなどのヒータ７６Ａを含んで構成されている。このヒータ７６Ａの温度は、プロセス設定データＤＳに含まれる定着温度についての情報に基づいて制御される。加圧ローラ７７は、記録媒体９上のトナーに対して圧力を付与する部材であり、ヒートローラ７６との間に圧接部が形成されるように配置されている。この構成により、定着部７５では、記録媒体９上のトナーが、加熱され、融解し、加圧される。その結果、トナー像が記録媒体９上に定着するようになっている。
【００４７】
排出ローラ７８は、搬送路７０を挟んで配置された一対のローラであり、トナー像が定着された記録媒体９を搬送路７０に沿って搬送し、この記録媒体９を排出する部材である。そして、排出された記録媒体９は、スタッカ７９に堆積されるようになっている。
【００４８】
この画像形成部２３における各種ローラの回転速度は、プロセス設定データＤＳに含まれる印刷速度についての情報に基づいて制御される。
【００４９】
（サーバ４０）
サーバ４０は、診断チャートＤＣを示す画像データＤＴを含む印刷データＤＰを画像形成装置２０に供給するとともに、パーソナルコンピュータ１０から供給された読取画像データＤＲに基づいて画像診断を行い、その診断結果に基づいてプロセス設定データＤＳを生成し、そのプロセス設定データＤＳを画像形成装置２０に供給するものである。サーバ４０は、インターネットＩＮＥＴに接続されている。サーバ４０は、通信部４１と、処理部５０と、記憶部４２とを有している。
【００５０】
通信部４１は、ネットワークＮＥＴを介して通信を行うものである。この例では、通信部４１は、診断チャートＤＣを示す画像データＤＴを含む印刷データＤＰを画像形成装置２０に送信する。また、通信部４１は、パーソナルコンピュータ１０から送信された読取画像データＤＲを受信するとともに、サーバ４０が生成したプロセス設定データＤＳを画像形成装置２０に送信するようになっている。
【００５１】
処理部５０は、様々な処理を行うものであり、例えば、ＣＰＵ、ＲＡＭなどを用いて構成されている。処理部５０は、ＷＥＢサーバ５１と、診断チャート生成部５２と、画像診断部６０とを有している。
【００５２】
ＷＥＢサーバ５１は、この例では、パーソナルコンピュータ１０に対してＷＥＢページを提供するものである。このＷＥＢページは、画像形成システム１を使用するユーザに対するユーザインタフェースとして機能するものであり、ユーザは、このＷＥＢページを用いて、画像診断およびプロセス設定データＤＳの生成を指示することができるようになっている。
【００５３】
診断チャート生成部５２は、診断チャートＤＣを示す画像データＤＴを生成するものである。
【００５４】
図６は、診断チャートＤＣの一構成例を表すものである。診断チャートＤＣは、この例では、８つの領域ＲＫ，ＲＣ，ＲＭ，ＲＹ，ＲＣＭ，ＲＭＹ，ＲＹＣ，Ｒに区分されている。この例では、診断チャートＤＣの右側に領域ＲＫが設けられ、左側において、上から順に、７つの領域ＲＣ，ＲＭ，ＲＹ，ＲＣＭ，ＲＭＹ，ＲＹＣ，Ｒが設けられている。領域ＲＫは、黒色のトナーが一様に塗布されるべき、いわゆるベタ領域であり、領域ＲＣは、シアン色のトナーが一様に塗布されるべきベタ領域であり、領域ＲＭは、マゼンタ色のトナーが一様に塗布されるべきベタ領域であり、領域ＲＹは、黄色のトナーが一様に塗布されるべきベタ領域であり、領域ＲＣＭは、シアン色のトナーおよびマゼンタ色のトナーが一様に塗布されるべきベタ領域であり、領域ＲＭＹは、マゼンタ色のトナーおよび黄色のトナーが一様に塗布されるべきベタ領域であり、領域ＲＹＣは、黄色のトナーおよびシアン色のトナーが一様に塗布されるべきベタ領域であり、領域Ｒは、いずれのトナーを塗布しない領域である。
【００５５】
診断チャート生成部５２は、このような診断チャートＤＣを示す画像データＤＴを生成し、この画像データＤＴおよび“ＰＰ＿ＰＬＡＩＮ”を示すプロセス設定識別子ＩＤを含む印刷データＤＰを生成する。そして、サーバ４０は、この印刷データＤＰを、画像形成装置２０に供給するようになっている。
【００５６】
画像診断部６０は、パーソナルコンピュータ１０から供給された読取画像データＤＲに基づいて画像診断を行い、その診断結果に基づいてプロセス設定データＤＳを生成するものである。
【００５７】
図７は、画像診断部６０の一構成例を表すものである。画像診断部６０は、画像判別部６１と、特徴量抽出部６２Ｈ，６２Ｌと、不具合解析部６３と、プロセス設定データ生成部６４とを有している。
【００５８】
画像判別部６１は、読取画像データＤＲの解像度を判別するものである。具体的には、画像判別部６１は、読取画像データＤＲの解像度を判別し、読取画像データＤＲが高解像度の読取画像データＤＲＨである場合には、この読取画像データＤＲＨを特徴量抽出部６２Ｈに供給し、読取画像データＤＲが低解像度の読取画像データＤＲＬである場合には、この読取画像データＤＲＬを特徴量抽出部６２Ｌに供給するようになっている。
【００５９】
特徴量抽出部６２Ｈは、高解像度の読取画像データＤＲＨに基づいて、特徴量を抽出するものである。具体的には、特徴量抽出部６２Ｈは、まず、読取画像データＤＲＨに含まれる領域ＲＫに対応する画像データＤＫＨに基づいて、２５６行×２５６列の濃度共起行列Ｐh0，Ｐh90を生成する。具体的には、特徴量抽出部６２Ｈは、画像データＤＫＨにおいて、例えば、横方向に隣り合う２つの画素（画素ペア）を順次選択し、選択した２つの画素における画素値（濃度）についての統計をとることにより、濃度共起行列Ｐh0を生成する。例えば、ある画素における画素値が“２５０”であり、その右側の画素における画素値が“２５１”である場合には、濃度共起行列Ｐh0における座標（２５０，２５１）での値をインクリメントする。特徴量抽出部６２Ｈは、画像データＤＫＨにおける全ての画素ペアに対して、このような処理を行うことにより、濃度共起行列Ｐh0を生成する。また、特徴量抽出部６２Ｈは、画像データＤＫＨにおいて、例えば、縦方向に隣り合う２つの画素（画素ペア）を順次選択し、選択した２つの画素（画素ペア）における画素値（濃度）についての統計をとることにより、濃度共起行列Ｐh90を生成する。例えば、ある画素における画素値が“２５０”であり、その下側の画素における画素値が“２４９”である場合には、濃度共起行列Ｐh90における座標（２５０，２４９）での値をインクリメントする。特徴量抽出部６２Ｈは、画像データＤＫＨにおける全ての画素ペアに対して、このような処理を行うことにより、濃度共起行列Ｐh90を生成する。そして、特徴量抽出部６２Ｈは、濃度共起行列Ｐh0，Ｐh90に基づいて、以下の３つの特徴量Ｆh0_col，Ｆh90_col，Ｆh_reを算出する。
【数１】
2019109370.tif 000003
そして、特徴量抽出部６２Ｈは、この３つの特徴量Ｆh0_col，Ｆh90_col，Ｆh_reを不具合解析部６３に供給するようになっている。
【００６０】
特徴量抽出部６２Ｌは、低解像度の読取画像データＤＲＬに基づいて、特徴量を抽出するものである。具体的には、特徴量抽出部６２Ｌは、まず、読取画像データＤＲＬに含まれる領域ＲＫに対応する画像データＤＫＬに基づいて、２５６行×２５６列の濃度共起行列Ｐl0，Ｐl90を生成する。具体的には、特徴量抽出部６２Ｌは、特徴量抽出部６２Ｈが濃度共起行列Ｐh0を生成する動作と同様に、画像データＤＫＬにおいて、例えば、横方向に隣り合う２つの画素（画素ペア）を順次選択し、選択した２つの画素における画素値（濃度）についての統計をとることにより、濃度共起行列Ｐl0を生成する。また、特徴量抽出部６２Ｌは、特徴量抽出部６２Ｈが濃度共起行列Ｐh90を生成する動作と同様に、画像データＤＫＬにおいて、例えば、縦方向に隣り合う２つの画素（画素ペア）を順次選択し、選択した２つの画素における画素値（濃度）についての統計をとることにより、濃度共起行列Ｐl90を生成する。そして、特徴量抽出部６２Ｌは、濃度共起行列Ｐl0，Ｐl90に基づいて、以下の特徴量Ｆl_colを算出する。
【数２】
2019109370.tif 000004
そして、特徴量抽出部６２Ｌは、この特徴量Ｆl_colを不具合解析部６３に供給するようになっている。
【００６１】
不具合解析部６３は、特徴量抽出部６２Ｈから供給された３つの特徴量Ｆh0_col，Ｆh90_col，Ｆh_re、および特徴量抽出部６２Ｌから供給された特徴量Ｆl_colに基づいて、画像の不具合を解析するものである。
【００６２】
図８Ａ〜８Ｄは、黒色のトナーが一様に塗布されるべきベタ領域における画像の不具合例を模式的に表すものであり、図８ＡはパターンＰＡＴ１を示し、図８ＢはパターンＰＡＴ２を示し、図８ＣはパターンＰＡＴ３を示し、図８ＤはパターンＰＡＴ４を示す。なお、これらの図８Ａ〜８Ｄでは、説明の便宜上、画像を拡大して示している。
【００６３】
パターンＰＡＴ１（図８Ａ）は、横方向に伸びるぼやけた帯状のパターンを含むものである。このパターンＰＡＴ１は、この帯状のパターンが複数生じることにより、木目のような模様になっている。なお、この例では、全ての帯状のパターンは横方向に伸びているが、これに限定されるものではなく、例えば縦方向に伸びていてもよい。
【００６４】
パターンＰＡＴ２（図８Ｂ）は、ランダムな位置に生じる複数のちり状のパターンを含むものである。このパターンＰＡＴ２では、ちり状のパターンのエッジが鋭くなっている。
【００６５】
パターンＰＡＴ３（図８Ｃ）は、ランダムな位置に生じた、かすれた複数のちり状のパターンを含むものである。このパターンＰＡＴ３では、ちり状のパターンのエッジがややぼけている。
【００６６】
パターンＰＡＴ４（図８Ｄ）は、ランダムな位置に生じた、かすれた複数のちり状のパターンに加え、ぼやけた斑点状のパターンを含むものである。なお、図８Ｄでは、ぼやけた斑点状のパターンを周期的に描いたが、実際には、この斑点状のパターンは、ランダムな位置に生じる）。
【００６７】
不具合解析部６３は、特徴量抽出部６２Ｈから供給された３つの特徴量Ｆh0_col，Ｆh90_col，Ｆh_re、および特徴量抽出部６２Ｌから供給された特徴量Ｆl_colに基づいて、画像の不具合が、これらのパターンＰＡＴ１〜ＰＡＴ４のいずれに該当するかを解析する。そして、不具合解析部６３は、その解析結果を、プロセス設定データ生成部６４に供給するようになっている。
【００６８】
プロセス設定データ生成部６４は、不具合解析部６３による解析結果に基づいて、プロセス設定データＤＳを生成するものである。
【００６９】
図９は、不具合のパターンＰＡＴ１〜ＰＡＴ４と、各不具合を改善できるプロセス設定との関係を表すものである。例えば、不具合のパターンがパターンＰＡＴ１である場合には、定着温度を下げることが望ましい。また、不具合のパターンがパターンＰＡＴ２である場合には、転写電圧を下げることが望ましい。また、不具合のパターンがパターンＰＡＴ３である場合には、転写電圧を上げることが望ましい。不具合のパターンがパターンＰＡＴ４である場合には、定着温度を下げることが望ましい。
【００７０】
プロセス設定データ生成部６４は、不具合解析部６３による解析結果に基づいて、図９に示したような、不具合を改善できるプロセス設定を含むプロセス設定データＤＳを生成する。具体的には、プロセス設定データ生成部６４は、不具合解析部６３による解析結果に基づいて、あらかじめ記憶部４２に記憶された複数のプロセス設定データＤＳ０のうち、解析結果が示す不具合のパターンに対応づけられた、その不具合を改善できるプロセス設定を含むプロセス設定データＤＳ０を選択する。そして、プロセス設定データ生成部６４は、選択したプロセス設定データＤＳ０に、ユーザの指示に基づいてプロセス設定識別子ＩＤを付与することにより、プロセス設定データＤＳを生成する。また、プロセス設定データ生成部６４は、このプロセス設定データＤＳの登録要求を生成する。そして、サーバ４０は、このプロセス設定データＤＳを、この登録要求とともに、画像形成装置２０に供給するようになっている。
【００７１】
記憶部４２（図１）は、複数のプロセス設定データＤＳ０を記憶するものである。この複数のプロセス設定データＤＳ０は、様々な画質の不具合に対応しており、複数のプロセス設定データＤＳのそれぞれは、対応する不具合を改善することができるプロセス設定を含んでいる。
【００７２】
ここで、画像形成部２３は、本発明における「画像形成部」の一具体例に対応する。スキャナ１１は、本発明における「画像読取部」の一具体例に対応する。処理部５０は、本発明における「処理部」の一具体例に対応する。プロセス設定データＤＳは、本発明における「第１の設定データ」および「第２の設定データ」の一具体例に対応する。診断チャートＤＣは、本発明における「所定の画像」の一具体例に対応する。感光ドラム８１は、本発明における「像担持体」の一具体例に対応する。転写ローラ９２は、本発明における「転写部材」の一具体例に対応する。ヒータ７６Ａは、本発明における「ヒータ」の一具体例に対応する。濃度共起行列Ｐh0は、本発明における「第１の統計結果」の一具体例に対応する。濃度共起行列Ｐh90は、本発明における「第２の統計結果」の一具体例に対応する。
【００７３】
［動作および作用］
続いて、本実施の形態の画像形成システム１の動作および作用について説明する。
【００７４】
（全体動作概要）
まず、図１を参照して、画像形成システム１の全体動作概要を説明する。画像診断を行う場合には、画像形成システム１では、まず、例えば、画像形成装置２０が、サーバ４０から供給された印刷データＤＰに基づいて、特殊な記録媒体９Ｂに所定の画像（診断チャートＤＣ）を印刷する。次に、スキャナ１１がユーザの操作に基づいてその記録媒体９Ｂから診断チャートＤＣを読み取ることにより画像データ（読取画像データＤＲ）を生成し、パーソナルコンピュータ１０が、その読取画像データＤＲをサーバ４０に供給する。サーバ４０は、読取画像データＤＲに基づいて診断処理を行うことにより、記録媒体９Ｂに形成された画像の不具合を解析する。そして、サーバ４０は、その診断結果に基づいて、画像の不具合を解消するための画像形成条件を含むプロセス設定データＤＳを生成する。そして、サーバ４０は、このようなプロセス設定データＤＳを画像形成装置２０に供給する。画像形成装置２０は、このプロセス設定データＤＳを登録する。
【００７５】
（詳細動作）
まず、画像診断に基づくプロセス設定の登録について説明する前に、通常の画像形成動作について説明する。
【００７６】
図１０は、画像形成システム１における、通常の画像形成動作の一例を表すものである。画像形成システム１では、パーソナルコンピュータ１０は、印刷データＤＰを画像形成装置２０に対して供給し、画像形成装置２０は、この印刷データＤＰに基づいて記録媒体９に画像を形成する。以下に、この動作について詳細に説明する。
【００７７】
まず、パーソナルコンピュータ１０は、印刷データＤＰを生成する（ステップＳ１０１）。具体的には、パーソナルコンピュータ１０のプリンタドライバは、例えば、ユーザがワードプロセッサソフトウェアを操作することにより生成した文書データに基づいて印刷データＤＰを生成する。
【００７８】
図１１は、プリンタドライバの設定画面１００の一例を表すものである。この設定画面１００は、“原稿サイズ”プルダウンリスト１０１、“用紙種類” プルダウンリスト１０２と、“プロセス設定識別子”テキストボックス１０３と、“部数”テキストボックス１０４と、上下ボタン１０５と、“拡大縮小”プルダウンリスト１０６と、“その他設定”ボタン１０７と、“印刷”ボタン１０８と、“キャンセル”ボタン１０９とを含んでいる。
【００７９】
“原稿サイズ”プルダウンリスト１０１は、ユーザが例えばワードプロセッサソフトウェアを操作することにより生成した文書データにおける原稿サイズを選択するためのものであり、例えば、“Ａ４”，“Ｂ５”，“Ｌｅｔｔｅｒ”，“はがき”などのうちの１つを選択することができるようになっている。
【００８０】
“用紙種類”プルダウンリスト１０２は、記録媒体９の種類を選択するためのものであり、例えば、“普通紙”，“ＯＨＰフィルム”，“光沢紙”，“ユーザ定義”などのうちの１つを選択することができるようになっている。この“用紙種類”プルダウンリスト１０２において、例えば“普通紙”が選択された場合には、プリンタドライバは、プロセス設定識別子ＩＤを“ＰＰ＿ＰＬＡＩＮ”に設定し、“ＯＨＰフィルム”が選択された場合には、プリンタドライバは、プロセス設定識別子ＩＤを“Ｐ＿ＯＨＰ”に設定し、“光沢紙”が選択された場合には、プリンタドライバは、プロセス設定識別子ＩＤを“Ｐ＿ＯＨＰ”に設定する。
【００８１】
“プロセス設定識別子”テキストボックス１０３は、プロセス設定識別子ＩＤを入力するためのものである。プリンタドライバは、“用紙種類”プルダウンリスト１０２において“ユーザ定義”が選択された場合に、プロセス設定識別子ＩＤを、このテキストボックス１０３に入力されたプロセス設定識別子に設定するようになっている。
【００８２】
“部数”テキストボックス１０４は、印刷を行う部数を入力するためのものである。上下ボタン１０５は、印刷を行う部数を増やし、または減らすためのものである。
【００８３】
“拡大縮小”プルダウンリスト１０６は、拡大印刷または縮小印刷を行う際に選択するためのものであり、例えば、“Ａ４→Ｂ５”，“Ｂ５→Ａ４”などのうちの１つを選択することができるようになっている。例えば、“原稿サイズ”プルダウンリスト１０１において設定した原稿サイズが“Ａ４”であり、記録媒体９の媒体サイズが“Ｂ５”である場合には、ユーザは“Ａ４→Ｂ５”を選択する。
【００８４】
“その他設定”ボタン１０７は、印刷画質の設定、カラーマッチポリシーなどの設定を行う設定画面を表示するためのものである。“印刷”ボタン１０８は、設定画面１００において設定されたパラメータに基づいて印刷データＤＰを生成するためのものである。“キャンセル”ボタン１０９は、印刷をキャンセルするためのものである。
【００８５】
“印刷”ボタン１０８が操作されると、プリンタドライバは、設定画面１００において設定されたパラメータに基づいて、画像データＤＴおよびプロセス設定識別子ＩＤを含む印刷データＤＰを生成する。そして、パーソナルコンピュータ１０は、この印刷データＤＰを画像形成装置２０に供給する。画像形成装置２０の通信部２１は、この印刷データＤＰを受け取る。
【００８６】
次に、画像形成装置２０のデータ解析部３１は、この印刷データＤＰを解析する（ステップＳ１０２）。そして、データ解析部３１は、この印刷データＤＰを画像処理部３２に供給する。
【００８７】
次に、画像形成装置２０は、画像形成条件を設定する（ステップＳ１０３）。具体的には、画像処理部３２は、印刷データＤＰに含まれるプロセス設定識別子ＩＤをプロセス設定部３３に供給し、プロセス設定部３３は、画像処理部３２から供給されたプロセス設定識別子ＩＤに基づいて、記憶部２２から、そのプロセス設定識別子ＩＤに対応するプロセス設定データＤＳを読み出す。そして、プロセス設定部３３は、読み出したプロセス設定データＤＳを画像形成部２３に供給する。また、プロセス設定部３３は、このプロセス設定データＤＳに含まれる最大層厚についての情報を画像処理部３２に供給する。
【００８８】
次に、画像形成装置２０の画像処理部３２は、印刷データＤＰに含まれる画像データＤＴに基づいて、描画処理Ｐ１、色変換処理Ｐ２、層厚制御処理Ｐ３、階調補正処理Ｐ４、およびハーフトーン処理Ｐ５を行うことにより、ページデータＤＰ２を生成する（ステップＳ１０４）。この層厚制御処理Ｐ３において、画像処理部３２は、プロセス設定部３３から供給された最大層厚についての情報に基づいて画像処理を行う。
【００８９】
そして、画像形成装置２０の画像形成部２３は、画像処理部３２から供給されたページデータＤＰ２、およびプロセス設定部３３から供給されたプロセス設定データＤＳに基づいて、記録媒体９に画像を形成する（ステップＳ１０５）。
【００９０】
具体的には、画像形成部２３は、プロセス設定データＤＳに含まれる印刷速度についての情報に基づいて各種ローラを動作させ、プロセス設定データＤＳに含まれる転写電圧についての情報に基づいて４つの転写ローラ９２に印加する転写電圧を生成し、プロセス設定データＤＳに含まれる定着温度についての情報に基づいて定着部７５のヒータ７６Ａの温度を設定する。また、画像形成部２３は、ページデータＤＰ２に基づいて、４つのＬＥＤヘッド８９（ＬＥＤヘッド８９Ｋ，８９Ｙ，８９Ｍ，８９Ｃ）における露光動作を制御する。４つの現像ユニット８０のそれぞれでは、感光ドラム８１の表面に静電潜像が形成され、その静電潜像に応じたトナー像が形成（現像）される。４つの転写ローラ９２は、対応する感光ドラム８１に形成されたトナー像を、記録媒体９の被転写面上に転写する。定着部７５は、トナー像を記録媒体９上に定着させる。そして、トナー像が定着した記録媒体９が、スタッカ７９に堆積される。
【００９１】
以上で、このフローは終了する。
【００９２】
次に、画像診断に基づくプロセス設定の登録について詳細に説明する。まず、パーソナルコンピュータ１０は、ユーザがＷＥＢブラウザソフトウェアを操作することにより、サーバ４０にアクセスする。そして、サーバ４０のＷＥＢサーバ５１は、パーソナルコンピュータ１０に対してＷＥＢページを提供する。画像形成システム１は、このＷＥＢページを利用して、ユーザからの指示に基づいて、画像診断に基づくプロセス設定の登録を行う。
【００９３】
図１２は、画像診断に基づくプロセス設定の登録動作を表すものである。図１３は、ＷＥＢページを表示しているＷＥＢブラウザソフトウェアの画面１１０の一例を表すものである。
【００９４】
図１３に示したＷＥＢページは、アドレスバー１１１にＷＥＢサーバ５１に対応する所定のＵＲＬ（Uniform Resource Locator）を入力することにより表示される。この画面１１０は、“設定登録”タブ１１２と、“設定削除”タブ１１９とを含んでいる。“設定登録”タブ１１２は、画像診断に基づくプロセス設定の登録を行う際にユーザが操作するものである。“設定削除”タブ１１９は、画像形成装置２０にすでに登録されているプロセス設定データＤＳを削除する際にユーザが操作するものである。この例では、“設定登録”タブ１１２が選択されている。
【００９５】
画面１１０は、“診断チャート印字”ボタン１１３と、“スキャン・診断”ボタン１１４と、“プロセス設定名”テキストボックス１１５と、“設定登録”ボタン１１６とを含んでいる。“診断チャート印字”ボタン１１３は、画像形成システム１に対して、診断チャートＤＣの印刷を指示する際に操作するものである。“スキャン・診断”ボタン１１４は、ユーザが、診断チャートＤＣが印刷された記録媒体９Ｂをスキャナ１１にセットした後に、画像診断を行う際に操作するものである。“プロセス設定名”テキストボックス１１５は、画像診断結果に基づいて生成されたプロセス設定データＤＳに付与するプロセス設定識別子ＩＤを入力するためのものである。“設定登録”ボタン１１６は、プロセス設定データＤＳの画像形成装置２０への登録を指示する際に操作するものである。
【００９６】
まず、ユーザが、“診断チャート印字”ボタン１１３（図１３）を操作することにより、画像形成装置２０は、サーバ４０から送信された印刷データＤＰに基づいて、特殊な記録媒体９Ｂに診断チャートＤＣを印刷する（ステップＳ１１０）。
【００９７】
次に、ユーザが、“プロセス設定名”テキストボックス１１５（図１３）に、生成するプロセス設定データＤＳに付与するプロセス設定識別子ＩＤを入力し、“スキャン・診断”ボタン１１４を操作することにより、サーバ４０は、特殊な記録媒体９Ｂに印刷された診断チャートＤＣに基づいて画像診断を行うことによりプロセス設定データＤＳを生成し、プロセス設定データＤＳを画像形成装置２０に登録する（ステップＳ１２０）。
【００９８】
以下に、これらのステップＳ１１０の動作およびステップＳ１２０の動作について、詳細に説明する。
【００９９】
図１４は、図１２に示したステップＳ１１０の動作を詳細に表すものである。画像形成装置２０は、サーバ４０から供給された印刷データＤＰに基づいて、特殊な記録媒体９Ｂに診断チャートＤＣを印刷する。以下に、この動作について詳細に説明する。
【０１００】
まず、サーバ４０の診断チャート生成部５２は、診断チャートＤＣを示す画像データＤＴを生成し、この画像データＤＴおよび“ＰＰ＿ＰＬＡＩＮ”を示すプロセス設定識別子ＩＤを含む印刷データＤＰを生成する（ステップＳ１１１）。そして、サーバ４０の通信部４１は、この印刷データＤＰを画像形成装置２０に送信する。画像形成装置２０の通信部２１は、この印刷データＤＰを受け取る。
【０１０１】
次に、画像形成装置２０のデータ解析部３１は、この印刷データＤＰを解析する（ステップＳ１１２）。そして、データ解析部３１は、この印刷データＤＰを画像処理部３２に供給する。次に、画像形成装置２０は、ステップＳ１０３（図１０）と同様に、画像形成条件を設定する（ステップＳ１１３）。次に、画像形成装置２０の画像処理部３２は、ステップＳ１０４（図１０）と同様に、印刷データＤＰに含まれる画像データＤＴに基づいて、ページデータＤＰ２を生成する（ステップＳ１１４）。そして、画像形成装置２０の画像形成部２３は、ステップＳ１０５（図１０）と同様に、画像処理部３２から供給されたページデータＤＰ２、およびプロセス設定部３３から供給されたプロセス設定データＤＳに基づいて、記録媒体９Ｂに診断チャートＤＣを形成する（ステップＳ１１５）。
【０１０２】
このようにして、画像形成装置２０は、診断チャートＤＣを印刷する。ユーザは、この診断チャートＤＣが印刷された記録媒体９Ｂをスキャナ１１にセットする。
【０１０３】
図１５は、図１２に示したステップＳ１２０の動作を詳細に表すものである。サーバ４０は、記録媒体９Ｂに印刷された診断チャートＤＣに基づいて画像診断を行うことによりプロセス設定データＤＳを生成し、プロセス設定データＤＳを画像形成装置２０に登録する。以下に、この動作について詳細に説明する。
【０１０４】
まず、スキャナ１１は、サーバ４０からの指示に基づいて、高い解像度で診断チャートＤＣを読み取ることにより、高解像度の読取画像データＤＲＨを生成する（ステップＳ１２１）。そして、パーソナルコンピュータ１０は、この読取画像データＤＲＨをサーバ４０に供給する。サーバ４０の通信部４１は、この読取画像データＤＲＨを受け取る。
【０１０５】
次に、サーバ４０の画像診断部６０は、この読取画像データＤＲＨに基づいて、特徴量Ｆh0_col，Ｆh90_col，Ｆh_reを算出する（ステップＳ１２２）。具体的には、まず、画像判別部６１が、読取画像データＤＲＨの解像度を判別し、この読取画像データＤＲＨを特徴量抽出部６２Ｈに供給する。そして、特徴量抽出部６２Ｈは、この読取画像データＤＲＨに含まれる領域ＲＫに対応する画像データＤＫＨに基づいて、濃度共起行列Ｐh0，Ｐh90を生成し、この濃度共起行列Ｐh0，Ｐh90に基づいて、式（１）を用いて、特徴量Ｆh0_col，Ｆh90_col，Ｆh_reを算出する。そして、特徴量抽出部６２Ｈは、算出した特徴量Ｆh0_col，Ｆh90_col，Ｆh_reを、不具合解析部６３に供給する。
【０１０６】
次に、サーバ４０の不具合解析部６３は、特徴量Ｆh0_colおよび特徴量Ｆh90_colの差の絶対値が所定のしきい値ＴＨ１よりも大きい（｜Ｆh0_col−Ｆh90_col｜＞ＴＨ１）かどうかを確認する（ステップＳ１２３）。すなわち、不具合解析部６３は、特徴量Ｆh0_colおよび特徴量Ｆh90_colの差の絶対値が所定のしきい値ＴＨ１よりも大きいかどうかを確認することにより、不具合のパターンにおいて方向依存性が高いかどうかを確認する。特徴量Ｆh0_colおよび特徴量Ｆh90_colの差の絶対値が所定のしきい値ＴＨ１よりも大きい場合（ステップＳ１２３において“Ｙ”）には、不具合解析部６３は、方向依存性が高いので、不具合のパターンはパターンＰＡＴ１（図８Ａ）であると判断し（ステップＳ１２４）、ステップＳ１３２に進む。
【０１０７】
なお、このしきい値ＴＨ１は、様々な不具合のパターンを含む複数の読取画像データＤＲＨから取得した、特徴量Ｆh0_colおよび特徴量Ｆh90_colの差の絶対値（｜Ｆh0_col−Ｆh90_col｜）についてのデータを教師データとして収集し、この収集したデータに基づいて、機械学習を含む統計的手法により決定することができる。
【０１０８】
ステップＳ１２３において、特徴量Ｆh0_colおよび特徴量Ｆh90_colの差の絶対値が所定のしきい値ＴＨ１よりも大きくない場合（ステップＳ１２３において“Ｎ”）には、不具合解析部６３は、特徴量Ｆh_reが所定のしきい値ＴＨ２min以上であり所定のしきい値ＴＨ２max未満である（ＴＨ２max＞Ｆh_re≧ＴＨ２min）かどうかを確認する（ステップＳ１２５）。すなわち、不具合解析部６３は、特徴量Ｆh_reが所定の範囲内にあるかどうかを確認することにより、不具合のパターンにおけるエッジの鋭さを確認する。特徴量Ｆh_reが所定のしきい値ＴＨ２min以上であり所定のしきい値ＴＨ２max未満である場合（ステップＳ１２５において“Ｙ”）には、不具合解析部６３は、パターンにおけるエッジが鋭いので、不具合のパターンはパターンＰＡＴ２（図８Ｂ）であると判断し（ステップＳ１２６）、ステップＳ１３２に進む。
【０１０９】
なお、このしきい値ＴＨ２max，ＴＨ２minは、しきい値ＴＨ１と同様に、様々な不具合のパターンを含む複数の読取画像データＤＲＨから取得した特徴量Ｆh_reについてのデータを教師データとして収集し、この収集したデータに基づいて、機械学習を含む統計的手法により決定することができる。
【０１１０】
ステップＳ１２５において、特徴量Ｆh_reが所定のしきい値ＴＨ２min以上でない場合、または特徴量Ｆh_reが所定のしきい値ＴＨ２max未満でない場合（ステップＳ１２５において“Ｎ”）には、スキャナ１１は、サーバ４０からの指示に基づいて、低い解像度で診断チャートＤＣを読み取ることにより、低解像度の読取画像データＤＲＬを生成する（ステップＳ１２７）。そして、パーソナルコンピュータ１０は、この読取画像データＤＲＬをサーバ４０に供給する。サーバ４０の通信部４１は、この読取画像データＤＲＨを受け取る。
【０１１１】
次に、サーバ４０の画像診断部６０は、この読取画像データＤＲＬに基づいて、特徴量Ｆl_colを算出する（ステップＳ１２８）。具体的には、まず、画像判別部６１が、読取画像データＤＲＬの解像度を判別し、この読取画像データＤＲＬを特徴量抽出部６２Ｌに供給する。そして、特徴量抽出部６２Ｌは、この読取画像データＤＲＬに含まれる領域ＲＫに対応する画像データＤＫＬに基づいて、濃度共起行列Ｐl0，Ｐl90を生成し、この濃度共起行列Ｐl0，Ｐl90に基づいて、式（２）を用いて、特徴量Ｆl_colを算出する。そして、特徴量抽出部６２Ｈは、算出した特徴量Ｆl_colを不具合解析部６３に供給する。
【０１１２】
次に、サーバ４０の不具合解析部６３は、特徴量Ｆl_colが所定のしきい値ＴＨ３min以上であり所定のしきい値ＴＨ３max未満である（ＴＨ３max＞Ｆl_col≧ＴＨ３min）かどうかを確認する（ステップＳ１２９）。すなわち、不具合解析部６３は、特徴量Ｆl_colが所定の範囲内にあるかどうかを確認することにより、かすれた点状のパターン以外の特徴を確認する。特徴量Ｆl_colが所定のしきい値ＴＨ３min以上であり所定のしきい値ＴＨ３max未満である場合（ステップＳ１２９において“Ｙ”）には、不具合解析部６３は、不具合のパターンはパターンＰＡＴ４（図８Ｄ）であると判断し（ステップＳ１３０）、ステップＳ１３２に進む。
【０１１３】
ステップＳ１２９において、特徴量Ｆl_colが所定のしきい値ＴＨ３min以上でない場合、または特徴量Ｆl_colが所定のしきい値ＴＨ３max未満でない場合（ステップＳ１２９において“Ｎ”）には、不具合解析部６３は、不具合のパターンはパターンＰＡＴ３（図８Ｃ）であると判断する（ステップＳ１３１）。
【０１１４】
なお、このしきい値ＴＨ３max，ＴＨ３minは、しきい値ＴＨ１などと同様に、様々な不具合のパターンを含む複数の読取画像データＤＲＬから取得した特徴量Ｆl_colについてのデータを教師データとして収集し、この収集したデータに基づいて、機械学習を含む統計的手法により決定することができる。
【０１１５】
次に、プロセス設定データ生成部６４は、不具合解析部６３における解析結果に基づいて、プロセス設定データＤＳを生成する（ステップＳ１３２）。具体的には、プロセス設定データ生成部６４は、不具合解析部６３による解析結果に基づいて、記憶部４２が記憶している複数のプロセス設定データＤＳ０のうち、解析結果が示す不具合のパターンに対応づけられた、その不具合を改善できるプロセス設定を含むプロセス設定データＤＳ０を選択する。そして、プロセス設定データ生成部６４は、選択されたプロセス設定データＤＳ０に、“プロセス設定名”テキストボックス１１５（図１３）に入力されたプロセス設定識別子ＩＤを付与することにより、プロセス設定データＤＳを生成する。また、プロセス設定データ生成部６４は、このプロセス設定データＤＳの登録要求を生成する。サーバ４０の通信部４１は、このプロセス設定データＤＳを、この登録要求とともに、画像形成装置２０に供給する。画像形成装置２０の通信部２１は、このプロセス設定データＤＳを受け取る。
【０１１６】
そして、画像形成装置２０は、このプロセス設定データＤＳを登録する（ステップＳ１３３）。具体的には、画像形成装置２０のデータ解析部３１は、このプロセス設定データＤＳをプロセス設定部３３に供給し、プロセス設定部３３は、このプロセス設定データＤＳを記憶部２２に登録する。
【０１１７】
以上で、このフローは終了する。
【０１１８】
画像形成装置２０は、これ以降において、この登録されたプロセス設定データＤＳに基づいて画像形成条件を設定することにより、記録媒体９Ｂに画像を形成することができる。これにより、画像形成システム１では、記録媒体９Ｂにおける画質を高めることができる。
【０１１９】
このように、画像形成システム１では、記録媒体９に実際に印刷された画像に基づいて画像診断を行い、この診断結果に基づいてプロセス設定データＤＳを生成するようにした。これにより、画像形成システム１では、不具合に応じた画像形成条件を設定することができるので、画質を高めることができる。すなわち、記録媒体９に良好な画像を形成できるような画像形成条件は、その記録媒体９の種類に応じて異なる。特に、ユーザによっては、通常はあまり使用されない記録媒体９（この例では特殊な記録媒体９Ｂ）に画像を形成したい場合もある。画像形成システム１では、例えば、このような記録媒体９Ｂに形成された画像に基づいて、画像形成装置２０における画像形成条件を設定することができるので、特殊な記録媒体９Ｂに画像を形成する場合でも、画質を高めることができる。
【０１２０】
また、画像形成システム１では、複数の解像度で診断チャートＤＣを読み取ることにより、複数の読取画像データＤＲ（この例では高解像度の読取画像データＤＲＨおよび低解像度の読取画像データＤＲＬ）を生成し、これらの読取画像データＤＲに基づいて画像診断を行うようにした。これにより、例えば１つの解像度を用いた場合には不具合の特徴を検出しにくい場合でも、複数の解像度を用いることにより不具合の特徴を検出しやすくすることができるので、より適切に画像診断を行うことができる。その結果、画像形成システム１では、診断された不具合に応じた適切な画像形成条件を設定することができるので、画質を高めることができる。
【０１２１】
また、画像形成システム１では、読取画像データＤＲＨに含まれる領域ＲＫに対応する画像データＤＫＨに基づいて、横方向に隣り合う２つの画素における画素値（濃度）についての統計をとることにより、濃度共起行列Ｐh0を生成するとともに、縦方向に隣り合う２つの画素における画素値（濃度）についての統計をとることにより、濃度共起行列Ｐh90を生成し、これらの濃度共起行列Ｐh0，Ｐh90に基づいて、画像診断を行うようにした。同様に、読取画像データＤＲＬに含まれる領域ＲＫに対応する画像データＤＫＬに基づいて、横方向に隣り合う２つの画素における画素値（濃度）についての統計をとることにより、濃度共起行列Ｐl0を生成するとともに、縦方向に隣り合う２つの画素における画素値（濃度）についての統計をとることにより、濃度共起行列Ｐl90を生成し、これらの濃度共起行列Ｐl0，Ｐl90に基づいて、画像診断を行うようにした。これにより、不具合のパターンの方向依存性を診断することができるので、より適切に画像診断を行うことができる。その結果、画像形成システム１では、診断された不具合に応じた適切な画像形成条件を設定することができるので、画質を高めることができる。
【０１２２】
また、画像形成システム１では、まず、高い解像度で、印刷された診断チャートＤＣを読み取り、その後に必要に応じて、低い解像度で、印刷された診断チャートＤＣを読み取るようにしたので、効率よく画像診断を行うことができ、その結果、効率よく画質を高めることができる。
【０１２３】
［効果］
以上のように本実施の形態では、記録媒体に実際に印刷された画像に基づいて画像診断を行い、この診断結果に基づいてプロセス設定データを生成するようにしたので、不具合に応じた画像形成条件を設定することができるので、画質を高めることができる。
【０１２４】
本実施の形態では、複数の解像度で診断チャートを読み取ることにより、複数の読取画像データを生成し、これらの読取画像データに基づいて画像診断を行うようにした。これにより、例えば１つの解像度を用いた場合には不具合の特徴を検出しにくい場合でも、複数の解像度を用いることにより不具合の特徴を検出しやすくすることができるので、より適切に画像診断を行うことができる。その結果、適切な画像形成条件を設定することができるので、画質を高めることができる。
【０１２５】
本実施の形態では、横方向に隣り合う２つの画素における画素値（濃度）についての統計をとることにより、濃度共起行列を生成するとともに、縦方向に隣り合う２つの画素における画素値（濃度）についての統計をとることにより、濃度共起行列を生成し、これらの濃度共起行列に基づいて、画像診断を行うようにした。これにより、不具合のパターンの方向依存性を診断することができるので、より適切に画像診断を行うことができる。その結果、適切な画像形成条件を設定することができるので、画質を高めることができる。
【０１２６】
本実施の形態では、まず、高い解像度で、印刷された診断チャートを読み取り、その後に必要に応じて、低い解像度で、印刷された診断チャートを読み取るようにしたので、効率よく画像診断を行うことができ、その結果、効率よく画質を高めることができる。
【０１２７】
［変形例１］
上記実施の形態では、サーバ４０に、診断チャート生成部５２および画像診断部６０を設けたが、これに限定されるものではない。例えば、診断チャート生成部５２を、パーソナルコンピュータ１０に設けてもよいし、この診断チャート生成部５２を、画像形成装置２０に設けてもよい。また、例えば、診断チャート生成部５２および画像診断部６０を、パーソナルコンピュータ１０に設けてもよいし、この診断チャート生成部５２および画像診断部６０を、画像形成装置２０に設けてもよい。図１６は、診断チャート生成部５２および画像診断部６０を画像形成装置２０（画像形成装置２０Ａ）に設けた、画像形成システム１Ａの一構成例を表すものである。この画像形成システム１Ａは、画像形成装置２０Ａと、パーソナルコンピュータ１０と、スキャナ１１とを備えている。画像形成装置２０Ａは、処理部３０Ａと、記憶部２４Ａとを有している。処理部３０Ａは、ＷＥＢサーバ３４Ａと、診断チャート生成部３５Ａと、画像診断部３６Ａとを有している。これらのＷＥＢサーバ３４Ａ、診断チャート生成部３５Ａ、画像診断部３６Ａ、および記憶部２４Ａは、上記実施の形態に係るＷＥＢサーバ５１、診断チャート生成部５２、画像診断部６０、および記憶部４２に対応するものである。
【０１２８】
［変形例２］
上記実施の形態では、スキャナ１１をパーソナルコンピュータ１０に接続したが、これに限定されるものではない。これに代えて、例えば、スキャナ１１を、ネットワークＮＥＴに接続してもよい。また、例えば多機能周辺装置（ＭＦＰ；Multi  Function Peripheral）のように、画像読取機能を有する画像形成装置２０を用いてもよい。図１７は、画像読取機能を有する画像形成装置２０（画像形成装置２０Ａ）を用いた画像形成システム１Ｂの一構成例を表すものである。この画像形成システム１Ｂは、上記画像形成システム１Ａ（図１６）に本変形例を適用したものである。この画像形成システム１Ｂは、画像形成装置２０Ｂと、パーソナルコンピュータ１０とを備えている。画像形成装置２０Ｂは、処理部３０Ｂと、画像読取部２５Ｂとを有している。画像読取部２５Ｂは、光走査を行うことにより、記録媒体９に印刷された画像を読み取るものであり、複数の解像度で画像を読み取ることができるものである。
【０１２９】
［変形例３］
上記実施の形態では、プロセス設定データＤＳを記憶する記憶部２２を画像形成装置２０に設けたが、これに限定されるものではない。これに代えて、例えば、この記憶部２２をパーソナルコンピュータ１０に設けてもよい。この場合には、パーソナルコンピュータ１０は、画像形成装置２０に印刷データＤＰを供給する際に、その印刷データＤＰに基づく印刷で用いられるべきプロセス設定データＤＳをも、画像形成装置２０に供給することが望ましい。また、例えば、この記憶部２２をサーバ４０に設けてもよい。この場合には、画像形成装置２０は、印刷データＤＰに基づいて印刷を行う際に、サーバ４０から、その印刷データＤＰに基づく印刷で用いられるべきプロセス設定データＤＳを取得することが望ましい。
【０１３０】
［変形例４］
上記実施の形態では、読取画像データＤＲＨに含まれる領域ＲＫに対応する画像データＤＫＨに基づいて濃度共起行列Ｐh0，Ｐh90を生成し、読取画像データＤＲＬに含まれる領域ＲＫに対応する画像データＤＫＬに基づいて濃度共起行列Ｐl0，Ｐl90を生成したが、これに限定されるものではない。これに代えて、例えば、領域ＲＣ，ＲＭ，ＲＹ，ＲＣＭ，ＲＭＹ，ＲＹＣのいずれかの領域に対応する画像データに基づいて濃度共起行列を生成してもよい。
【０１３１】
［その他の変形例］
また、これらの変形例のうちの２以上を組み合わせてもよい。
【０１３２】
以上、実施の形態およびいくつかの変形例を挙げて本技術を説明したが、本技術はこれらの実施の形態等には限定されず、種々の変形が可能である。
【０１３３】
例えば、上記の実施の形態等では、ＬＥＤヘッド８９を用いて、記録媒体９に画像を形成したが、これに限定されるものではなく、これに代えて、例えばレーザ光源を用いて画像を形成してもよい。また、上記の実施の形態等では、４色（黒色、黄色、マゼンタ色、シアン色）のトナーを用いて記録媒体９に画像を形成したが、これに限定されるものではない。例えば、さらに白色のトナーや、いわゆる透明トナーを用いて画像を形成してもよいし、黒色のトナーのみを用いてモノクロ画像を形成してもよい。
【０１３４】
例えば、上記の実施の形態等では、本技術を単機能のプリンタに適用したが、これに限定されるものではなく、これに代えて、例えば、コピー機能、ファックス機能、スキャン機能、プリント機能などを有する、いわゆる多機能周辺装置（ＭＦＰ；Multi  Function Peripheral）に適用してもよい。
【０１３５】
例えば、上記の実施の形態等では、画像形成装置２０を、ネットワークＮＥＴを介してパーソナルコンピュータ１０に接続したが、これに限定されるものではなく、これに代えて、例えば、画像形成装置２０を、ネットワーク以外のインタフェース（例えばＵＳＢ（Universal Serial Bus）、パラレルインタフェースなど）を用いてパーソナルコンピュータ１０に接続してもよい。
【符号の説明】
【０１３６】
１，１Ａ，１Ｂ…画像形成システム、１０…パーソナルコンピュータ、１１…スキャナ、２０，２０Ａ，２０Ｂ…画像形成装置、２１…通信部、２２…記憶部、２３…画像形成部、２４Ａ…記憶部、２５Ｂ…画像読取部、３０，３０Ａ，３０Ｂ…処理部、３１…データ解析部、３２…画像処理部、３３…プロセス設定部、３４Ａ…ＷＥＢサーバ、３５Ａ…診断チャート生成部、３６Ａ…画像診断部、４０…サーバ、４１…通信部、４２…記憶部、５０…処理部、５１…ＷＥＢサーバ、５２…診断チャート生成部、６０…画像診断部、６１…画像判別部、６２Ｈ，６２Ｌ…特徴量抽出部、６３…不具合解析部、６４…プロセス設定データ生成部、７１…媒体収納部、７２…ホッピングローラ、７３…レジストローラ、７５…定着部、７６…ヒートローラ、７６Ａ…ヒータ、７７…加圧ローラ、７８…排出ローラ、７９…スタッカ、８０，８０Ｋ，８０Ｙ，８０Ｍ，８０Ｃ…現像ユニット、８１…感光ドラム、８２…クリーニングブレード、８３…トナーボックス、８４…帯電ローラ、８５…現像ローラ、８６…規制ブレード、８７…供給ローラ、８８，８８Ｋ，８８Ｙ，８８Ｍ，８８Ｃ…トナー収容部、８９，８９Ｋ，８９Ｙ，８９Ｍ，８９Ｃ…ＬＥＤヘッド、９０…転写部、９１…転写ベルト、９２，９２Ｋ，９２Ｙ，９２Ｍ，９２Ｃ…転写ローラ、９３…駆動ローラ、９４…従動ローラ、ＤＣ…診断チャート、ＤＰ…印刷データ、ＤＰ２…ページデータ、ＤＲ，ＤＲＨ，ＤＲＬ…読取画像データ、ＤＳ，ＤＳ０，ＤＳ１〜ＤＳ５…プロセス設定データ、ＩＤ…プロセス設定識別子、ＩＮＥＴ…インターネット、ＮＥＴ…ネットワーク、ＰＡＴ１〜ＰＡＴ４…パターン、ＲＫ，ＲＣ，ＲＭ，ＲＹ，ＲＣＭ，ＲＭＹ，ＲＹＣ，Ｒ…領域。
【図１】
2019109370.tif 000005
【図２】
2019109370.tif 000006
【図３】
2019109370.tif 000007
【図４】
2019109370.tif 000008
【図５】
2019109370.tif 000009
【図６】
2019109370.tif 000010
【図７】
2019109370.tif 000011
【図８Ａ】
2019109370.tif 000012
【図８Ｂ】
2019109370.tif 000013
【図８Ｃ】
2019109370.tif 000014
【図８Ｄ】
2019109370.tif 000015
【図９】
2019109370.tif 000016
【図１０】
2019109370.tif 000017
【図１１】
2019109370.tif 000018
【図１２】
2019109370.tif 000019
【図１３】
2019109370.tif 000020
【図１４】
2019109370.tif 000021
【図１５】
2019109370.tif 000022
【図１６】
2019109370.tif 000023
【図１７】
2019109370.tif 000024